(57)【要約】      （修正有）【課題】体表面に簡便に貼り付けることができる体表面被覆シートを提供する。【解決手段】体表面被覆シート１は、体表面対向面の中央領域には粘着性が無く、且つ、中央領域の周辺領域には粘着性が有る本体部２と、体表面対向面に積層された剥離可能シート３と、を備え、剥離可能シート３は、中央領域、及び、周辺領域のうち中央領域の周囲、を覆う第一の部分４と、周辺領域のうち、第一の部分４により覆われる領域の周囲を覆う第二の部分５と、を備える。【選択図】図１
0003232733.tif 000002
【実用新案登録請求の範囲】
【請求項１】
体表面対向面の中央領域には粘着性が無く、且つ、前記中央領域の周辺領域には粘着性が有る本体部と、
前記体表面対向面に積層された剥離可能シートと、を備え、
前記剥離可能シートは、
前記中央領域、及び、前記周辺領域のうち前記中央領域の周囲、を覆う第一の部分と、
前記周辺領域のうち、前記第一の部分により覆われる領域の周囲を覆う第二の部分と、
を備える体表面被覆シート。
【請求項２】
体表面対向面の中央領域と、前記中央領域の周囲に配され粘着性を有する周辺領域と、を備える本体部と、
前記体表面対向面に積層された剥離可能シートと、を備え、
前記剥離可能シートは、
前記中央領域、及び、前記周辺領域のうち前記中央領域の周囲、を覆う第一の部分と、
前記周辺領域のうち、前記第一の部分により覆われる領域の周囲を覆う第二の部分と、
を備える体表面被覆シート。
【請求項３】
前記中央領域の色と前記周辺領域のうち前記中央領域の周囲の色とが異なる、請求項１又は２に記載の体表面被覆シート。
【請求項４】
前記周辺領域のうち前記中央領域の周囲の幅が５ｍｍ〜３０ｍｍである、請求項１〜３のいずれか一項に記載の体表面被覆シート。
【請求項５】
前記シートが、体表面と体表面に取り付けられている器具とを被覆するために用いられる、
請求項１〜４のいずれか一項に記載の体表面被覆シート。
【請求項６】
前記器具がストーマ装具である、請求項５に記載の体表面被覆シート。
【請求項７】
前記本体部は入浴時に体表面を被覆するために用いられる、請求項１〜６のいずれか一項に記載の体表面被覆シート。
【請求項８】
前記本体部は前記体表面対向面と反対側の面の色が肌色である、請求項１〜７のいずれか一項に記載の体表面被覆シート。
【請求項９】
前記本体部は前記体表面対向面と反対側の面の周縁に、前記シートと体表面との境界を目立たなくする模様が施されている、請求項１〜８のいずれか一項に記載の体表面被覆シート。
【請求項１０】
前記模様がグラデーションである、請求項９に記載の体表面被覆シート。
【請求項１１】
前記本体部は前記体表面対向面と反対側の面に、錯視を引き起こす模様が施されている、請求項１〜１０のいずれか一項に記載の体表面被覆シート。
【請求項１２】
前記本体部が、伸縮可能な材料を含む、請求項１〜１１のいずれか一項に記載の体表面被覆シート。
【請求項１３】
前記シートの面積が、前記本体部の面積より大きい、請求項１〜１２のいずれか一項に記載の体表面被覆シート。
【考案の詳細な説明】
【技術分野】
【０００１】
本考案は、体表面被覆シートに関し、特には、体表面を被覆する本体部と当該本体部に積層された剥離可能シートとを含む体表面被覆シートに関する。
【背景技術】
【０００２】
種々の体表面被覆シートが開発されている。体表面被覆シートは、例えば患部を周囲から見えなくなるようにするために又は患部を保護するために用いられている。
【０００３】
例えば、下記特許文献１には、入浴用患部カバーが開示されている。当該入浴用患部カバーは、少なくとも人工肛門のストーマ装具を覆うことが可能な大きさの被覆シートを含み、当該被覆シートの下面に皮膚への貼着が可能な粘着面が形成され、当該粘着面の中央部分には可撓性のある目隠しシートが一体に接合されている。当該目隠しシートによりストーマ装具を覆うことによって、当該ストーマ装具は外部から見えなくなる。
【０００４】
また、下記特許文献２には、創傷保護絆創膏が開示されている。当該創傷保護絆創膏は、柔らかい粘着フィルムの一方の面に設けられた粘着剤層と、この粘着剤層の所定範囲を囲むように設けられた環状のパッド部とから成る。当該環状のパッド部により、浸出液の漏れが防止される。
【先行技術文献】
【特許文献】
【０００５】
【特許文献１】特開２００７−３１９５６１号公報
【特許文献２】特開２００５−１９２８０６号公報
【考案の概要】
【考案が解決しようとする課題】
【０００６】
体表面被覆シートの多くは、体表面への粘着領域を有する。当該粘着領域によって、被覆された領域に対する体表面被覆シートの位置が固定される。
しかしながら、粘着領域を有するが故に、体表面に貼り付ける前に体表面被覆シートが折れ曲がることで、粘着領域同士が貼りつくことがある。また、意図されていない体表面に体表面被覆シートが貼りつくこともある。そのため、意図された体表面に、より簡便に貼り付けることができる体表面被覆シートが求められている。
【０００７】
また、例えばストーマ装具が体表面に取り付けられているヒト又は創傷部位を体表面に有するヒトは、当該ストーマ装具又は当該創傷部位を被覆する必要がしばしばある。例えば入浴する場合には、当該ストーマ装具又は当該創傷部位が水に接触しないように又は周囲から見られないようにするために、当該ストーマ装具又は当該創傷部位を体表面被覆シートによって被覆する場合がある。このような場合において、当該ストーマ装具又は当該創傷部位に対しては粘着領域が接触しないことが望ましい一方で、体表面被覆シートが体表面に確実に貼り付けられることが求められる。
【課題を解決するための手段】
【０００８】
本考案は、上記課題を解決するために、以下の体表面被覆シートを提供する。
すなわち、本考案は、
体表面対向面の中央領域には粘着性が無く、且つ、前記中央領域の周辺領域には粘着性が有る本体部と、
前記体表面対向面に積層された剥離可能シートと、を備え、
前記剥離可能シートは、
前記中央領域、及び、前記周辺領域のうち前記中央領域の周囲、を覆う第一の部分と、
前記周辺領域のうち、前記第一の部分により覆われる領域の周囲を覆う第二の部分と、
を備える体表面被覆シートを提供する。
【考案の効果】
【０００９】
本考案の体表面被覆シートは、意図された体表面に簡便に貼り付けることができる。また、本考案の体表面被覆シートによって、例えばストーマ装具又は創傷部位などの被覆されるべき器具又は部位の適切な被覆が可能となり、且つ、体表面への確実な貼り付けが可能となる。
【図面の簡単な説明】
【００１０】
【図１】本考案の体表面被覆シートを示す模式図である。
【図２】本考案の体表面被覆シートの構成要素を分離して示した模式図である。
【図３】剥離可能シートのうち第一の部分を本体部から剥離した状態を示す模式図である。
【図４】グラデーションが施された反対側の面の例を示す図である。
【図５】錯視を引き起こす模様が施された反対側の面の例を示す図である。
【考案を実施するための形態】
【００１１】
以下、本考案を実施するための好適な実施形態を説明する。なお、以下に説明する実施形態は、本考案の代表的な実施形態の一例を示したものであり、本考案の範囲は当該実施形態のみに限定されるものでない。
【００１２】
（１）体表面被覆シートの構成例
図１及び２を参照して、本考案の体表面被覆シートについて説明する。図１は、当該体表面被覆シートの本体部に、剥離可能シートが積層されている状態を示す模式図である。図２は、当該体表面被覆シートの構成要素を分離して示した模式図である。
【００１３】
図１及び２に示されるとおり、本考案の体表面被覆シート１は、本体部２と剥離可能シート３とを備えている。剥離可能シート３は、第一の部分４と第二の部分５とを備えている。以下に、これらの構成要素の夫々について説明する。
【００１４】
本体部２によって、体表面が被覆される。本体部２は、例えば１枚のシートであってよく、すなわち２つの面を有する。当該２つの面は、体表面対向面６及び当該体表面対向面と反対側の面７である。体表面対向面６は、体表面を被覆する際に、体表面に対向する面である。当該反対側の面７は、体表面対向面６と反対側を向く面であり、本体部２により体表面を被覆した場合に、他者から視認可能となる面である。
図２に示されるとおり、体表面対向面６の中央領域８には粘着性が無く、且つ、前記中央領域の周辺領域９には粘着性が有る。粘着性が無い中央領域８及び粘着性が有る周辺領域９を有することで、例えば被覆されるべき器具又は部位には体表面被覆シート１の本体部２は粘着せずに、当該被覆されるべき器具又は部位の周囲の体表面と本体部２とが粘着することができる。その結果、体表面被覆シート１の本体部２を体表面から剥がす際に、当該被覆されるべき器具が破損すること若しくは当該被覆されるべき部位が傷つくことを防ぐことができる。
【００１５】
本体部２は、図２においては、角が丸くされた長方形である。本体部２の形状及び大きさは、被覆されるべき体表面の形状及び大きさによって適宜設定されてよい。本体部２の形状は、例えば円形、楕円形、又は矩形であってよい。矩形には、例えば正方形、長方形、角が丸くされた正方形、及び角が丸くされた長方形が包含される。
本体部２は、少なくとも一つの辺が例えば５〜３５ｃｍ、特には６〜３０ｃｍ、より特には７〜２５ｃｍである矩形でありうる。例えば本体部２が長方形である場合、長辺が例えば５〜３５ｃｍ、特には６〜３０ｃｍ、より特には７〜２５ｃｍであり、且つ、短辺が例えば３〜３０ｃｍ、特には４〜２５ｃｍ、より特には５〜２２ｃｍでありうる。
また、本体部２は、直径が例えば５〜３５ｃｍ、特には６〜３０ｃｍ、より特には７〜２５ｃｍである円であってもよい。また、本体部２は、長径が例えば５〜３５ｃｍ、特には６〜３０ｃｍ、より特には７〜２５ｃｍである楕円であってもよい。
【００１６】
中央領域８は、図２においては、角が丸くされた長方形である。中央領域８の形状及び大きさは、被覆されるべき器具又は部位の形状及び大きさによって適宜設定されてよい。中央領域８の形状は、例えば円形、楕円形、又は矩形であってよい。矩形には、例えば正方形、長方形、角が丸くされた正方形、及び角が丸くされた長方形が包含される。
中央領域８は、少なくとも一つの辺が例えば３〜３０ｃｍ、特には４〜２５ｃｍ、より特には５〜２０ｃｍである矩形でありうる。例えば中央領域８が長方形である場合、長辺が例えば３〜３０ｃｍ、特には４〜２５ｃｍ、より特には５〜２０ｃｍあり、且つ、短辺が例えば２〜２０ｃｍ、特には３〜１６ｃｍ、より特には４〜１２ｃｍでありうる。
また、中央領域８は、直径が例えば３〜３０ｃｍ、特には４〜２５ｃｍ、より特には５〜２０ｃｍである円であってもよい。また、当該中央領域は、長径が例えば３〜３０ｃｍ、特には４〜２５ｃｍ、より特には５〜２０ｃｍである楕円であってもよい。
【００１７】
周辺領域９は、中央領域８を完全に囲むように設けられていることが好ましい。これにより、例えば本体部２を体表面に貼り付けたヒトが入浴した場合に、本体部２と体表面との間に水が侵入することを防ぐことができる。その結果、被覆されるべき器具又は部位が、水に接触することを防ぐことができる。
周辺領域９の幅は、例えば体表面被覆シート１の本体部２及び／又は中央領域８の大きさなどを考慮して、適宜設定されてよい。周辺領域９の幅は、例えば１〜１０ｃｍ、特には２〜８ｃｍ、より特には３〜６ｃｍでありうる。本考案において、周辺領域９の幅とは、周辺領域９の中央領域側の端と当該端と反対側の端との間の距離のうち最小の値をいう。
周辺領域９のうちの中央領域８の周囲（すなわち、剥離可能シート３のうち第一の部分４を剥離した際に露出する粘着領域）の幅は、例えば５ｍｍ〜３０ｍｍ、好ましくは６〜２５ｍｍ、より好ましくは７〜２０ｍｍでありうる。本考案において、周辺領域９のうちの中央領域８の周囲の幅とは、第一の部分４を剥離した際に露出する粘着領域のうちの、中央領域側の端と第二の部分５側の端との間の距離のうち最小の値をいう。
【００１８】
本体部２の材料は、好ましくは伸縮可能でありうる。これにより、例えば被覆されるべき器具又は部位をより適切に被覆することができる。また、貼り付け作業がより簡便に行われうる。
本体部２の基材の材料として、例えばポリ塩化ビニル、ポリエチレン、ポリプロピレン、ポリエステル、ポリカーボネート、及びポリウレタンを挙げることができる。本体部２の基材の材料は、素材のしなやかさの理由から好ましくはポリ塩化ビニルである。ポリ塩化ビニルの基材として、例えばCL34054（バンドー化学株式会社、厚み６０μｍ）を挙げることができる。本体部２の基材の厚みは、例えば１０〜１００μｍ、特には３０〜９０μｍ、より特には４０〜８０μｍ、さらにより特には５０〜７０μｍでありうる。当該基材上に、粘着性の有る周辺領域及び粘着性の無い中央領域を設けることで、本体部が形成されうる。
【００１９】
周辺領域９の粘着性は、例えば周辺領域９に粘着剤を積層することによりもたらされてよい。当該粘着剤として、例えばアクリル系粘着剤、ゴム系粘着剤、及びシリコーン系粘着剤を挙げることができる。本考案において、皮膚への低刺激の理由からアクリル系粘着剤が好ましい。これら粘着剤は、例えばエマルジョンの粘着剤であってもよく、又は、有機溶剤系の粘着剤であってもよい。粘着剤の施与量は、例えば１０〜５０ｇ／ｍ２、特には１５〜４５ｇ／ｍ２、より特には２０〜４０ｇ／ｍ２、さらにより特には２５〜３５ｇ／ｍ２、さらにより特には約３０ｇ／ｍ２でありうる。
【００２０】
中央領域８は、粘着性を有さない領域である。粘着性を有さない領域は、例えばのり殺し加工により又は粘着剤を積層しないことにより形成される。のり殺し加工とは、粘着剤の粘着性が働かないようにする処理である。のり殺し加工は、例えば糊殺し剤の施与又は糊殺し層の積層により行われてよい。
糊殺し剤として、例えばＵＶインクを挙げることができる。ＵＶインクとしては、例えばＵＶ  ＶＮＬシリーズのインク、ＵＶ１６１シリーズのインク、及びＵＶ  ＶＰ Ｓシリーズのインク（いずれも株式会社Ｔ＆Ｋ ＴＯＫＡ製）などを用いることができる。ＵＶインクにより形成される層の厚みは、例えば１〜２０μｍ、特には３〜１７μｍ、より特には５〜１５μｍ、さらにより特には７〜１３μｍ、さらにより特には約１０μｍであってよい。
糊殺し層として、例えばＰＥＴフィルムを挙げることができる。ＰＥＴフィルムの厚みは、例えば５〜５０μｍ、特には１０〜４０μｍ、より特には１５〜３５μｍ、さらにより特には２０〜３０μｍ、さらにより特には約２５μｍでありうる。
【００２１】
剥離可能シート３は、体表面対向面６に積層されている。剥離可能シート３は、体表面に本体部２を貼り付ける前に本体部２から剥離され、そして、本体部２によって体表面が被覆される。剥離可能シート３によって、体表面被覆シート１の本体部２の体表面対向面６が汚れることを防ぐことができ、及び、粘着性がある周辺領域９が意図しない部分に粘着することを防ぐことができる。剥離可能シート３は、体表面対向面６のうち周辺領域９の全体及び中央領域８の一部又は全体を覆うように設けられていてよい。中央領域８が汚れないようにするために、剥離可能シート３は、体表面対向面６の全体を覆うように設けられていることが好ましい。剥離可能シート３は、例えば図１及び２に示されるとおり、本体部２よりも大きくてよい。これにより、すなわち剥離可能シート３が、本体部２の端からはみ出していてよい。これにより、剥離可能シート３を本体部２から剥がすことが容易になる。
【００２２】
剥離可能シート３は、中央領域８、及び、周辺領域９のうち中央領域８の周囲、を覆う第一の部分４と、周辺領域９のうち、第一の部分４により覆われる領域の周囲を覆う第二の部分５とを備えている。剥離可能シート３が、第一の部分４及び第二の部分５に分かれていることの技術的意義を以下に説明する。
第一の部分４は、中央領域８、及び、周辺領域９のうち中央領域８の周囲、を覆うように構成されている。これにより、第一の部分４を、本体部２から剥離したときに、粘着性の無い中央領域８と、中央領域８の周囲（すなわち粘着性が有る周辺領域９の一部）と、が露出する。中央領域８及び粘着性がある周辺領域９の当該一部が露出した状態を図３に示す。当該露出した状態で本体部２を体表面に接触させることで、被覆されるべき器具又は部位には、粘着性の無い中央領域８が接触するので、本体部２と当該被覆されるべき器具又は部位との位置関係を容易に調整することができる。また、当該位置関係が調整された状態で、粘着性の有る周辺領域９の前記一部を体表面に粘着させることで、当該位置関係が固定される。これによって、本体部２の適切な位置への貼り付けを簡便に行うことができる。
【００２３】
本考案の好ましい実施態様において、中央領域８の色と、周辺領域９のうち中央領域８の周囲の色とが異なっていてよい。これらの色が異なることで、粘着性の有る部分と粘着性の無い部分とを容易に区別することができる。その結果、より簡便に本体部２を体表面に貼り付けることができる。
【００２４】
第二の部分５は、周辺領域９のうち、第一の部分４により覆われる領域の周囲を覆うように構成されている。粘着性が有る周辺領域９の前記一部によって本体部２を体表面へ固定した後に、第二の部分５を本体部２から剥離することで、粘着性の有る周辺領域９の残りの部分が露出する。露出した当該残りの部分を体表面に貼り付けることで、本体部２が体表面により確実に粘着する。
第二の部分５は、図１に示されるとおり、２つの部分にさらに分かれていてよい。これにより、本体部２からの剥離を容易に行うことができる。第二の部分５は、３つ又は４つの部分に分かれていてもよい。第二の部分５の分割の仕方は、当業者により適宜行われてよい。
【００２５】
剥離可能シート３の材料として、公知の剥離紙又は剥離シートが用いられてよい。
剥離紙としては、例えばシリコーン塗工剥離紙を挙げることができる。シリコーン塗工剥離紙は、紙の層とポリエチレン（ＰＥ）層とシリコーン層とがこの順に積層されたものでありうる。シリコーン塗工剥離紙は、例えば紙の表面にＰＥ層を積層し、次に、当該当該ＰＥ層にシリコーン層を積層することで製造されうる。シリコーン塗工剥離紙の製造に用いられる紙の厚みは、例えば６０〜１００ｇ/ｍ２、６５〜９５ｇ/ｍ２、より特には７０〜９０ｇ/ｍ２、さらにより特には約８０ｇ/ｍ２でありうる。
剥離シートとしては、例えば延伸ポリプロピレン（ＯＰＰ）剥離シート及びポリエチレン（ＰＥ）剥離シートを挙げることができる。当該ＯＰＰ剥離シートは、ＯＰＰフィルムの表面に剥離剤を塗工することにより製造される。当該ＰＥ剥離シートは、ＰＥフィルムの表面に剥離剤を塗工することにより製造される。これら剥離シートの製造に用いられる剥離剤は、例えばシリコーン系の剥離剤でありうる。当該ＯＰＰ剥離シートの厚みは、例えば３０〜１００μｍ、特には４０〜８０μｍ、より特には５０〜７０μｍ、さらにより特には約６０μｍでありうる。当該ＰＥ剥離シートの厚みは、例えば５０〜１５０μｍ、特には７０〜１３０μｍ、より特には９０〜１１０μｍ、さらにより特には１００μｍでありうる。剥離可能シートが薄すぎる場合又は厚すぎる場合に、剥離可能シートを剥離しづらくなることがある。
【００２６】
本考案の体表面被覆シートは、好ましくは体表面と体表面に取り付けられている器具とを被覆するために用いられる。当該器具として、例えばストーマ装具、及び胃ろう用器具を挙げることができる。また、本考案の体表面被覆シートは、傷を隠すために用いられてもよい。
本考案の体表面被覆シートは、特にストーマ装具が取り付けられた体表面を被覆するために適している。ストーマ装具は、例えば面板及びストーマ袋から構成される。面板は、例えばストーマ周囲の皮膚に取り付けられる部材をいう。ストーマ袋は、ストーマからの排泄物を収容する袋である。本考案の体表面被覆シートは、例えば面板と丸められたストーマ袋とを覆うように、体表面に貼り付けられうる。
【００２７】
本考案の体表面被覆シートは、好ましくは入浴時又は体洗浄時に体表面を被覆するために用いられる。このような場面において本考案の体表面被覆シートを使用することで、被覆されるべき器具又は部位に水が接触することを防ぐことができる。
【００２８】
本考案の体表面被覆シートの本体部２において、反対側の面７の色は好ましくは肌色である。これにより、本体部２を体表面に貼り付けたときに、本体部２が目立たなくなる。
【００２９】
本体部２は体表面対向面６と反対側の面７の周縁に、前記シートと体表面との境界を目立たなくする模様が施されていてよい。当該模様は、例えばグラデーション模様である。これにより、本体部２を体表面に貼り付けたときに、本体部２がより目立たなくなる。グラデーション模様を施された反対側の面７の例を図４に示す。図４に示されるとおり、グラデーション模様は、本体部２の端から中央に向かって色（特には肌色）が濃くなるような模様である。このようなグラデーション模様によって、本体部２と体表面との境界がぼやかされ、本体部２が目立たなくなる。
【００３０】
本体部２は体表面対向面６と反対側の面７に、錯視を引き起こす模様が施されていてもよい。例えばストーマ装具を本体部２により被覆した場合、当該ストーマ装具を被覆している部分が膨らむことで、当該部分が目立つことがある。例えば当該膨らみを目立たないようにする錯視、例えばクレーター錯視など、を引き起こす模様を、当該反対側の面７に設けることで、当該部分を目立たなくすることができる。クレーター錯視を引き起こす模様が施された反対側の面７の例を図５に示す。このような模様によって、体表面の膨らみが目立たないようになる。
【００３１】
（２）体表面被覆シートの被覆手順の一例
次に、本考案の体表面被覆シートによる体表面の被覆手順の一例について、図１及び３を参照しながら説明する。
【００３２】
本考案の体表面被覆シート１は、体表面へ貼り付ける前は、図１に示されるように、本体部２に剥離可能シート３が積層されている。
まず、第一の部分４が、本体部２から剥離される。その結果、図３に示されるとおり、粘着性の無い中央領域８と、中央領域８の周囲（すなわち粘着性が有る周辺領域９の一部）と、が露出する。中央領域８とその周囲が露出した状態で、本考案の体表面被覆シート１は、被覆されるべき体表面に中央領域８が向かい合うように配置される。次に、粘着性の有る周辺領域９の前記一部が、体表面に貼り付けられて、体表面被覆シート１と体表面との位置関係が固定される。その後、第二の部分５が全て本体部２から剥離される。そして、周辺領域９が体表面に貼り付けられる。
以上のように、本考案の体表面被覆シート１を体表面へ貼り付けることで、体表面を簡便に被覆することができる。
【符号の説明】
【００３３】
１  体表面被覆シート
２  本体部
３  剥離可能シート
４  第一の部分
５  第二の部分
【図１】
0003232733.tif 000003
【図２】
0003232733.tif 000004
【図３】
0003232733.tif 000005
【図４】
0003232733.tif 000006
【図５】
0003232733.tif 000007
【手続補正書】
【提出日】令和3年4月28日(2021.4.28)
【手続補正１】
【補正対象書類名】実用新案登録請求の範囲
【補正対象項目名】全文
【補正方法】変更
【補正の内容】
【実用新案登録請求の範囲】
【請求項１】
体表面対向面の中央領域には粘着性が無く、且つ、前記中央領域の周辺領域には粘着性が有る本体部と、
前記体表面対向面に積層された剥離可能シートと、を備え、
前記剥離可能シートは、
前記中央領域、及び、前記周辺領域のうち前記中央領域の周囲、を覆う第一の部分と、
前記周辺領域のうち、前記第一の部分により覆われる領域の周囲を覆う第二の部分と、
を備える体表面被覆シート。
【請求項２】
体表面対向面の中央領域と、前記中央領域の周囲に配され粘着性を有する周辺領域と、を備える本体部と、
前記体表面対向面に積層された剥離可能シートと、を備え、
前記剥離可能シートは、
前記中央領域、及び、前記周辺領域のうち前記中央領域の周囲、を覆う第一の部分と、
前記周辺領域のうち、前記第一の部分により覆われる領域の周囲を覆う第二の部分と、
を備える体表面被覆シート。
【請求項３】
前記中央領域の色と前記周辺領域のうち前記中央領域の周囲の色とが異なる、請求項１又は２に記載の体表面被覆シート。
【請求項４】
前記周辺領域のうち前記中央領域の周囲の幅が５ｍｍ〜３０ｍｍである、請求項１〜３のいずれか一項に記載の体表面被覆シート。
【請求項５】
前記体表面被覆シートが、体表面と体表面に取り付けられている器具とを被覆するために用いられる、
請求項１〜４のいずれか一項に記載の体表面被覆シート。
【請求項６】
前記器具がストーマ装具である、請求項５に記載の体表面被覆シート。
【請求項７】
前記本体部は入浴時に体表面を被覆するために用いられる、請求項１〜６のいずれか一項に記載の体表面被覆シート。
【請求項８】
前記本体部は前記体表面対向面と反対側の面の色が肌色である、請求項１〜７のいずれか一項に記載の体表面被覆シート。
【請求項９】
前記本体部は前記体表面対向面と反対側の面の周縁に、前記体表面被覆シートと体表面との境界を目立たなくする模様が施されている、請求項１〜８のいずれか一項に記載の体表面被覆シート。
【請求項１０】
前記模様がグラデーションである、請求項９に記載の体表面被覆シート。
【請求項１１】
前記本体部は前記体表面対向面と反対側の面に、錯視を引き起こす模様が施されている、請求項１〜１０のいずれか一項に記載の体表面被覆シート。
【請求項１２】
前記本体部が、伸縮可能な材料を含む、請求項１〜１１のいずれか一項に記載の体表面被覆シート。
【請求項１３】
前記剥離可能シートの面積が、前記本体部の面積より大きい、請求項１〜１２のいずれか一項に記載の体表面被覆シート。